(57)【特許請求の範囲】
【請求項１】
フィールド判別信号の立ち上がりによりＨレベルをサンプリングし、垂直期間毎に到来する第１の正極の信号によりリセットされるＤ型フリップフロップと、垂直期間毎に前記第１の正極の信号よりも早く到来する第２の信号を前記Ｄ型フリップフロップからの正論理出力信号によりリセットして、１／２分周する分周器とを備えたことを特徴とするフィールド判別回路。
【発明の詳細な説明】
【０００１】
【発明の属する技術分野】
本発明はフィールド判別回路、特に液晶表示装置等に使用するフィールド判別回路に関する。
【０００２】
【従来の技術】
通常、ＮＴＳＣ／ＰＡＬ方式の映像信号を同一の液晶表示装置に表示する場合、ＰＡＬ方式は数ラインにつき１ラインの割合で表示を行わないことにより、映像信号を垂直方向に圧縮している。この際、常に同一ラインの表示を行わなければ、映像信号の欠落が発生する。そこで、表示しないラインをフィールド毎に変更して、映像信号の欠落を防ぐ方法が一般的に採用されているが、この方法を採用するには、フィールド情報の正確な判別が不可欠である。
【０００３】
以下、図面を参照しながら従来のフィールド判別回路について説明する。図３は従来のフィールド判別回路の構成を示すブロック図、図４は従来のフィールド判別回路の動作タイミングチャートである。
【０００４】
図３において、１は垂直同期信号１０１をデータ入力とし、水平同期信号と同期したカウンタから各水平期間の３０パーセントのタイミングで到来する正極の信号１０２をクロック入力とするＤ型フリップフロップ、２は垂直同期信号１０１をデータ入力とし、水平同期信号と同期したカウンタから各水平期間の７０パーセントのタイミングで信号１０２よりも遅れて到来する正極の信号１０３をクロック入力とするＤ型フリップフロップ、３はＤ型フリップフロップ１のＱ出力をクロック入力とし、Ｄ型フリップフロップ２のＱ出力をデータ入力とするＤ型フリップフロップであり、全体として位相比較型のフィールド判別回路１０００を構成している。
【０００５】
以下、図４を参照しながら、位相比較型フィールド判別回路１０００の動作を説明する。
【０００６】
Ｄ型フリップフロップ１は垂直同期信号１０１を信号１０２でサンプリングして信号１０４のように波形整形すると共に、Ｄ型フリップフロップ２は垂直同期信号１０１を信号１０３でサンプリングして信号１０５のように波形整形する。そこで、Ｄ型フリップフロップ３が信号１０５を信号１０４でサンプリングして、垂直同期信号１０１との位相差を検出した位相比較型のフィールド判別信号１０６を出力し、フィールド判別を行っている。
【０００７】
【発明が解決しようとする課題】
しかしながら、このような構成では、垂直同期信号１０１の位相からフィールド判別を行うため、例えば、ＶＴＲの特殊再生等を行っているときのように、垂直同期信号１０１が乱れると、正確なフィールド判別が困難で、ＰＡＬ方式の表示時に映像が欠落するという問題点があった。
【０００８】
本発明は上記従来の問題点を解決するものであり、垂直同期信号が乱れても、正確なフィールド判別が行えるフィールド判別回路を提供することを目的とする。
【０００９】
【課題を解決するための手段】
本発明のフィールド判別回路は、フィールド判別信号の立ち上がりによりＨレベルをサンプリングし、垂直期間毎に到来する第１の正極の信号によりリセットされるＤ型フリップフロップと、垂直期間毎に第１の正極の信号よりも早く到来する第２の信号をＤ型フリップフロップからの正論理出力信号によりリセットして、１／２分周する分周器とを備えたものである。
【００１０】
この発明によれば、分周器において、フィールド判別信号の立ち上がりを検知した正極の信号によって、垂直期間毎に到来する信号をリセットして分周するので、垂直同期信号が乱れても、正確なフィールド判別を行うことができる。
【００１１】
【発明の実施の形態】
以下、本発明の実施の形態について、図面を参照しながら説明する。なお、前記従来のものと同一の部分については同一符号を用いるものとする。
【００１２】
図１は本発明のフィールド判別回路の一実施の形態における構成を示すブロック図、図２は本発明のフィールド判別回路の一実施の形態における動作タイミングチャートである。
【００１３】
図１において、１０００は位相比較型のフィールド判別信号１０６を出力する従来例と同一の構成である位相比較型のフィールド判別回路、４は位相比較型のフィールド判別信号１０６によりＨレベルをサンプリングし、垂直期間毎に垂直カウンタから到来する正極の信号１０７によりリセットされる正論理出力信号１０９を出力するＤ型フリップフロップ、５は垂直期間毎に垂直カウンタから信号１０７よりも早く到来する正極の信号１０８を、正論理出力信号１０９によりリセットして、１／２分周したフィールド判別信号１１０を出力する分周器である。
【００１４】
以上のように構成されたフィールド判別回路の動作について、図２を参照しながら説明する。
【００１５】
本実施の形態におけるフィールド判別信号１１０は、従来の位相比較型のフィールド判別信号１０６の立ち上がりを検知して得られる信号１０９によりリセットされてＬレベルとなり、垂直カウンタから到来する信号１０８によりセットされてＨレベルとなる。
【００１６】
例えば、位相比較型のフィールド判別回路１０００から出力された位相比較型のフィールド判別信号１０６によってフィールド判別しているときに、垂直同期信号１０１が乱れて、図２に示す信号部分２００の位相比較型のフィールド判別信号１０６が出力されなくなり、正確なフィールド判別が行えなくなっても、分周器５は信号１０８により分周動作を繰り返しているので、信号部分２００のフィールド判別信号１１０が出力されて、正確なフィールド判別が行える。
【００１７】
即ち、本実施の形態によれば、分周器５において、フィールド判別信号１０６の立ち上がりを検知した正極の信号１０９によって、垂直期間毎に到来する信号１０８をリセットして分周するので、垂直同期信号が乱れても、正確なフィールド判別を行うことができる。
【００１８】
なお、本実施の形態では、垂直同期信号の位相からフィールド判別を行うフィールド判別回路を例示したが、垂直同期信号の位相を判別するフィールド判別回路でなくてもよい。
【００１９】
また、一般的な映像表示装置では水平、垂直同期信号に同期処理を行うＰＬＬ、カウンタが内蔵されているので、水平および垂直カウンタから到来する信号を作成するための新たな回路を設ける必要性はない。
【００２０】
【発明の効果】
以上のように、本発明によれば、ＶＴＲの特殊再生等を行っているときのように、垂直同期信号が乱れても、正確なフィールド判別が行えるという効果が得られる。
【図面の簡単な説明】
【図１】本発明のフィールド判別回路の一実施の形態における構成を示すブロック図
【図２】本発明のフィールド判別回路の一実施の形態における動作タイミングチャート
【図３】従来のフィールド判別回路の構成を示すブロック図
【図４】従来のフィールド判別回路の動作タイミングチャート
【符号の説明】
１  Ｄ型フリップフロップ
２  Ｄ型フリップフロップ
３  Ｄ型フリップフロップ
４  Ｄ型フリップフロップ
５  分周器
１０１  垂直同期信号
１０６  位相比較型のフィールド判別信号
１０７  垂直カウンタから到来する正極の信号
１０８  垂直カウンタから信号１０７よりも早く到来する正極の信号
１０９  正論理出力信号
１１０  フィールド判別信号
１０００  位相比較型のフィールド判別回路
【図１】
0003629651.tif 000002
【図２】
0003629651.tif 000003
【図３】
0003629651.tif 000004
【図４】
0003629651.tif 000005